(57)【要約】【課題】特定の通信相手の遅延プロファイルを作成することができない状態を防ぐことにより、各通信相手の受信タイミングを確実に検出すること。【解決手段】送信オフ期間検出部１０３は、コンプレストモードパラメータより移動機の送信オフ期間を検出する。遅延プロファイル生成制御部１０４は、送信オフ期間と遅延プロファイルの作成期間とが重なるか否かを判定し、送信オフ期間と遅延プロファイルの作成期間とが重なる場合には、遅延プロファイルを作成するチャネルの順番を変更することを遅延プロファイル生成部１０５に指示する。遅延プロファイル生成部１０５は、遅延プロファイル生成制御部１０４に指示されたチャネルの順番にて遅延プロファイルを作成する。パスサーチ部１０５は、遅延プロファイルがピークとなる受信パスタイミングを検出する。【選択図】      図１
2004328512.tif 000002
【特許請求の範囲】
【請求項１】
受信信号より通信相手の遅延プロファイルを作成する遅延プロファイル生成手段と、一時的な通信停止期間を前記通信相手に指示するパラメータより前記通信停止期間を求める通信停止期間検出手段と、通信停止期間検出手段により求めた通信相手の前記通信停止期間と前記遅延プロファイル生成手段にて作成する前記通信相手の前記遅延プロファイルの作成期間とが重ならないように、前記通信相手の前記遅延プロファイルの作成タイミングを設定するタイミング制御手段と、前記遅延プロファイルがピークとなる受信タイミングを検出するパスサーチ手段と、を具備することを特徴とする同期処理装置。
【請求項２】
前記遅延プロファイル生成手段は、複数のチャネル毎に時分割して前記遅延プロファイルを作成し、前記タイミング制御手段は、前記チャネル毎に前記作成タイミングを設定することを特徴とする請求項１記載の同期処理装置。
【請求項３】
前記遅延プロファイル生成手段は、複数のセクタ毎に時分割して前記遅延プロファイルを作成し、前記タイミング制御手段は、前記セクタ毎に前記作成タイミングを設定することを特徴とする請求項１記載の同期処理装置。
【請求項４】
複数の前記セクタ毎に設けられる受信手段を具備し、前記タイミング制御手段は、前記複数の受信手段をスイッチにより切り換えて前記作成タイミングを設定することを特徴とする請求項３記載の同期処理装置。
【請求項５】
前記通信停止期間は、前記通信相手がハンドオーバ先の基地局装置を探す際に、前記基地局装置と通信を行うために送信を停止する期間であることを特徴とする請求項１から請求項４のいずれかに記載の同期処理装置。
【請求項６】
請求項１から請求項５のいずれかに記載の同期処理装置を具備することを特徴とする受信装置。
【請求項７】
受信信号より通信相手の遅延プロファイルを作成するステップと、一時的な通信停止期間を前記通信相手に指示するパラメータより前記通信停止期間を求めるステップと、通信相手の前記通信停止期間と前記通信相手の前記遅延プロファイルの作成期間とが重ならないように、前記通信相手の前記遅延プロファイルの作成タイミングを設定するステップと、前記遅延プロファイルがピークとなる受信タイミングを検出するステップと、を具備することを特徴とする同期処理方法。
【発明の詳細な説明】
【０００１】
【発明の属する技術分野】
本発明は、同期処理装置及び同期処理方法に関し、特に遅延プロファイルを作成して受信タイミングを検出する同期処理装置及び同期処理方法に関する。
【０００２】
【従来の技術】
ＣＤＭＡ基地局装置における受信処理において、受信ベースバンド信号と拡散コードの相関値から遅延プロファイルを作成し、作成した遅延プロファイルのピークを検出することにより受信パスのタイミングを特定する方法が一般的である。また、基地局装置は、複数チャネルの同時受信が不可欠である。また、セルラシステムにおいては、１つの基地局装置がカバーするエリアを複数のセクタに分割し、各々のセクタに対して送受信アンテナを設置して構成するのが一般的である。同一の基地局装置内の隣接するセクタ間では、セクタ間ＨＯ（ハンドオーバ）を行う。また、隣接する基地局装置間では、セル間ＨＯを行う。
【０００３】
また、移動機は、必要に応じて上位局装置からの指示により、通常モードとコンプレストモードとを切り換えて基地局装置と通信を行っている。このコンプレストモードでは、情報データのフレームに対する拡散率を一時的に下げることにより、フレーム内に一定の送信オフ区間の時間をつくってフレームを送信し、移動機がこの空いた時間を用いて、自局の属するセル及び隣接セルの基地局装置からの他の周波数の信号を受信する。したがって、ある基地局装置と移動機が通常モードにおいて通信を行っている時にコンプレストモードに入ると、今まで通信していた基地局装置は、コンプレストモードに入った移動機からの受信信号をコンプレストモードパラメータによる所定の期間、受信できない状態（移動機の送信オフの状態）になる（例えば、特許文献１参照。）。
【０００４】
従来は、遅延プロファイル生成において、複数チャネルを時分割処理し、ハードウェア規模の削減を図っている。即ち、チャネル毎の遅延プロファイル生成タイミング、言い換えるとチャネル毎の処理対象受信ベースバンド信号は、基地局装置基準フレームあるいは基準スロットに対して、固定タイミングのものとなる。
【０００５】
図１１は、従来の固定タイミングにおける各チャネルの遅延プロファイル生成タイミングを示した図である。図１１（ａ）は、基地局装置の基準フレームを示したものであり、１フレームが１０ｍｓになっている。図１１（ｂ）は、遅延プロファイルの生成タイミングを示したものである。図１１（ｃ）は、チャネル＃０にて通信を行っている移動機がコンプレストモードにより送信オフとなるタイミングを示したものであり、「１」が送信オフ状態、「０」が送信オン状態である。なお、図１１において、時間の経過とともに右方向へ進むものとする。
【０００６】
遅延プロファイルは、フレーム毎にチャネル＃０から順番に全チャネルについて作成される。また、送信オフタイミングは、コンプレストモードパラメータを用いた演算により求まり、所定の周期にて生じる。
【０００７】
【特許文献１】
特開２００１−１６９３３０号公報
【０００８】
【発明が解決しようとする課題】
しかしながら、従来の同期処理装置及び同期処理方法においては、例えば図１１の場合には、チャネル＃０における遅延プロファイルの作成タイミングが、チャネル＃０を用いて通信を行っている移動機の送信オフタイミングと重なる場合が生じ、この場合にはタイミングが重なった移動機の遅延プロファイルが生成できないので、受信タイミングを検出することができないという問題がある。
【０００９】
本発明はかかる点に鑑みてなされたものであり、特定の通信相手の遅延プロファイルを作成することができない状態を防ぐことにより、各通信相手の受信タイミングを確実に検出することができる同期処理装置及び同期処理方法を提供することを目的とする。
【００１０】
【課題を解決するための手段】
本発明の同期処理装置は、受信信号より通信相手の遅延プロファイルを作成する遅延プロファイル生成手段と、一時的な通信停止期間を前記通信相手に指示するパラメータより前記通信停止期間を求める通信停止期間検出手段と、通信停止期間検出手段により求めた通信相手の前記通信停止期間と前記遅延プロファイル生成手段にて作成する前記通信相手の前記遅延プロファイルの作成期間とが重ならないように、前記通信相手の前記遅延プロファイルの作成タイミングを設定するタイミング制御手段と、前記遅延プロファイルがピークとなる受信タイミングを検出するパスサーチ手段と、を具備する構成を採る。
【００１１】
この構成によれば、通信停止期間と遅延プロファイルの作成期間とが重ならないようにするので、遅延プロファイルを作成するタイミングの時に信号を受信できない状態を防ぐことができることにより、特定の通信相手の遅延プロファイルを作成することができない状態を防いで、各通信相手の受信タイミングを確実に検出することができる。
【００１２】
本発明の同期処理装置は、前記構成において、前記遅延プロファイル生成手段は、複数のチャネル毎に時分割して前記遅延プロファイルを作成し、前記タイミング制御手段は、前記チャネル毎に前記作成タイミングを設定する構成を採る。
【００１３】
この構成によれば、前記効果に加えて、複数のチャネルを用いて通信を行う場合において、各チャネルの遅延プロファイルの作成期間と各チャネルの通信停止期間が重ならないようにするので、複数のチャネルについて遅延プロファイルを作成することができない状態を防いで、複数のチャネルの受信タイミングを確実に検出することができる。
【００１４】
本発明の同期処理装置は、前記構成において、前記遅延プロファイル生成手段は、複数のセクタ毎に時分割して前記遅延プロファイルを作成し、前記タイミング制御手段は、前記セクタ毎に前記作成タイミングを設定する構成を採る。
【００１５】
この構成によれば、前記効果に加えて、セクタ毎に時分割して各チャネルの遅延プロファイルを作成する場合において、例えば、移動機が基地局装置と通信しているセクタのその移動機の遅延プロファイルを作成する期間とその移動機の送信オフ期間とが重なることがないように、その移動機が基地局装置と通信しているセクタの遅延プロファイルを作成するタイミングを設定するので、大きいレベルのパスを検出することができる遅延プロファイルを確実に作成することができる。
【００１６】
本発明の同期処理装置は、前記構成において、複数の前記セクタ毎に設けられる受信手段を具備し、前記タイミング制御手段は、前記複数の受信手段をスイッチにより切り換えて前記作成タイミングを設定する構成を採る。
【００１７】
この構成によれば、前記効果に加えて、スイッチを切り替えるだけの簡単な操作で遅延プロファイルの作成タイミングを変えることができるので、受信信号の処理時間を長くすることなく受信タイミングを確実に検出することができる。
【００１８】
本発明の同期処理装置は、前記構成において、前記通信停止期間は、前記通信相手がハンドオーバ先の基地局装置を探す際に、前記基地局装置と通信を行うために送信を停止する期間である構成を採る。
【００１９】
この構成によれば、前記効果に加えて、セル毎に異なる周波数にて通信を行うシステムを用いてソフトハンドオーバする場合において、通信中にハンドオーバ先の基地局装置と一時的に通信を行うための通信停止期間と遅延プロファイルの作成期間とが重ならないようにするので、ＣＤＭＡのソフトハンドオーバを行う場合においても確実に受信タイミングを検出することができる。
【００２０】
本発明の受信装置は、上記のいずれかに記載の同期処理装置を具備する構成を採る。
【００２１】
この構成によれば、通信停止期間と遅延プロファイルの作成期間とが重ならないようにするので、遅延プロファイルを作成するタイミングの時に信号を受信できない状態を防ぐことができることにより、特定の通信相手の遅延プロファイルを作成することができない状態を防いで、各通信相手の受信タイミングを確実に検出することができ、同期がとれないために受信信号が復調できない状態を防ぐことができる。
【００２２】
本発明の同期処理方法は、受信信号より通信相手の遅延プロファイルを作成するステップと、一時的な通信停止期間を前記通信相手に指示するパラメータより前記通信停止期間を求めるステップと、通信相手の前記通信停止期間と前記通信相手の前記遅延プロファイルの作成期間とが重ならないように、前記通信相手の前記遅延プロファイルの作成タイミングを設定するステップと、前記遅延プロファイルがピークとなる受信タイミングを検出するステップと、を具備するようにした。
【００２３】
この方法によれば、通信停止期間と遅延プロファイルの作成期間とが重ならないようにするので、遅延プロファイルを作成するタイミングの時に信号を受信できない状態を防ぐことができることにより、特定の通信相手の遅延プロファイルを作成することができない状態を防いで、各通信相手の受信タイミングを確実に検出することができる。
【００２４】
【発明の実施の形態】
本発明の骨子は、コンプレストモードにおける送信オフ期間を移動機に設定させるためのコンプレストモードパラメータより送信オフ期間を求め、移動機毎に遅延プロファイルを作成する期間と送信オフ期間とが重ならないように、各移動機の遅延プロファイルを作成するタイミングを設定することである。
【００２５】
以下、本発明の実施の形態について、図面を参照して詳細に説明する。
【００２６】
（実施の形態１）
図１は、本実施の形態１に係る同期処理装置１１０を備えた受信装置１００の構成を示す図である。
【００２７】
同期処理装置１１０は、送信オフ期間検出部１０３、遅延プロファイル生成制御部１０４、遅延プロファイル生成部１０５及びパスサーチ部１０６とから構成される。
【００２８】
受信手段である無線部１０２は、アンテナ１０１にて受信した受信信号を無線周波数からベースバンド周波数へダウンコンバート等の処理をして遅延プロファイル生成部１０５へ出力する。
【００２９】
通信停止期間検出手段である送信オフ期間検出部１０３は、図示しないベースバンド制御部から入力したコンプレストモードパラメータより、送信オフ期間を求めて遅延プロファイル生成制御部１０４へ出力する。ここで、コンプレストモードとは、移動機が上位局装置よりコンプレストモードパラメータで指定されたタイミングにおいて通信を停止するものであり、コンプレストモードパラメータは、この通信を停止する期間である送信オフ期間の長さ及び送信オフ期間の間隔等を決めるものである。
【００３０】
タイミング制御手段である遅延プロファイル生成制御部１０４は、ベースバンド制御部から入力したチャネル使用状態情報と送信オフ期間検出部１０３から入力した送信オフ期間情報より、遅延プロファイルを作成する期間とコンプレストモードにおける送信オフ期間とが重なるか否かをチャネル毎に判定する。そして、遅延プロファイル生成制御部１０４は、判定した結果、遅延プロファイルを作成する期間とコンプレストモードにおける送信オフ期間とが重なる場合には、遅延プロファイルを作成する期間とコンプレストモードにおける送信オフ期間とが重ならないように、遅延プロファイルを作成するチャネルの順番を変えることを遅延プロファイル生成部１０５に指示する。ここで、チャネル使用状態情報とは、現在使用中であるか否かのチャネル毎の情報である。また、送信オフ期間においては、移動機がハンドオーバ先の基地局装置を探すために、隣接セル等の基地局装置と通信を行うため、移動機がハンドオーバ元となる現在存在しているセルの基地局装置との通信を一時的に停止する。
【００３１】
遅延プロファイル生成部１０５は、遅延プロファイル生成制御部１０４にて指示されたチャネルの順番にて、チャネル毎に遅延プロファイルを作成する。そして、遅延プロファイル生成部１０５は、作成した遅延プロファイルの情報をパスサーチ部１０６へ出力する。
【００３２】
パスサーチ部１０６は、遅延プロファイル生成部１０５から入力した遅延プロファイルの情報より、電力値がピークとなる時間を受信パスタイミングとして検出して、検出したチャネル毎の受信パスタイミング情報を図示しない復調部へ出力し、復調部では受信パスタイミングに基づいて受信信号を復調する。
【００３３】
次に、同期処理装置１１０の動作について、図２を用いて説明する。
【００３４】
最初に、送信オフ期間検出部１０３は、コンプレストモードパラメータよりコンプレストモードにおける送信オフ期間を検出する（ステップＳＴ２０１）。
【００３５】
次に、遅延プロファイル生成制御部１０４は、チャネル使用状態情報よりチャネル毎に使用中であるか否かを判定する（ステップＳＴ２０２）。
【００３６】
次に、遅延プロファイル生成制御部１０４は、使用中のチャネルについて送信オフ期間と遅延プロファイルを作成する期間とが重なるか否かを判定する（ステップＳＴ２０３）。
【００３７】
送信オフ期間と遅延プロファイルを作成する期間とが重なるチャネルが存在する場合には、遅延プロファイル生成部１０５は、遅延プロファイル生成制御部１０４の指示により、遅延プロファイルを作成するチャネルの順番をチャネル単位で入れ替えることにより、送信オフ期間と遅延プロファイルを作成する期間とが重ならないようにする（ステップＳＴ２０４）。
【００３８】
一方、ステップＳＴ２０３において、送信オフ期間と遅延プロファイルを作成する期間とが全てのチャネルにおいて重ならない場合には、並び替えは行わない。
【００３９】
次に、遅延プロファイル生成制御部１０４において、遅延プロファイルを作成するチャネルの順番を変える方法について、図３及び図４を用いて説明する。なお、図３及び図４においては、受信装置１００を基地局装置に適用した場合について説明する。
【００４０】
図３（ａ）は、基地局装置の基準フレームを示すものであり、図３（ｂ）は、時分割して各チャネルの遅延プロファイルを作成することを示したものであり、図３（ｃ）は、チャネル＃０について、各フレームの先頭に送信オフ期間が生じることを示したものである。なお、図３において、時間の経過とともに右方向へ進むものとする。
【００４１】
図３において、通信相手である移動機はチャネル＃０にて基地局装置と通信を行っている。遅延プロファイル生成制御部１０４は、チャネル＃０の遅延プロファイルの作成期間とチャネル＃０の送信オフ期間とが重なることがないように、チャネル＃１、チャネル＃２、チャネル＃０、チャネル＃３、チャネル＃４、チャネル＃５、チャネル＃６、チャネル＃７の順番にて遅延プロファイルを作成するように遅延プロファイル生成部１０５を制御する。これにより、図３に示すようにチャネル＃０の遅延プロファイルの作成期間とチャネル＃０の送信オフ期間とは重なることがなくなる。チャネル＃０の送信オフ期間は、本実施の形態１においては、一定の周期で１フレーム（１０ｍｓ）に１回の頻度で繰り返し生じる。したがって、図３に示すチャネルの順番にて遅延プロファイルを作成することにより、チャネル＃０を用いて通信を行う移動機は、各フレームにおいて送信オフ期間と遅延プロファイルの作成期間とが重なることはない。送信オフ期間のタイミングはチャネル毎に異なるが、各チャネルについて送信オフ期間と遅延プロファイル作成期間とが重ならないように、遅延プロファイルを作成するチャネルの順番を変えることにより、各チャネルについて確実に遅延プロファイルを作成することができる。
【００４２】
ところで、図３に示すように、全てのフレームにおいて同一のチャネルの順番にて遅延プロファイルを作成する場合には、一部のチャネルについては送信オフ期間と遅延プロファイルを作成する期間が重ならなくなるものの、他の特定のチャネルについて送信オフ期間と遅延プロファイルを作成する期間とが全てのフレームにおいて重なる可能性がある。これは、特に使用中のチャネル数が多くなるほど確率が高くなる。このような事態が起こることを防ぐ方法として、図４に示すように、フレーム毎に遅延プロファイルを作成するチャネルの順番を変える方法が有効である。
【００４３】
図４（ａ）は、基地局装置の基準フレームを示すものであり、図４（ｂ）は、時分割して各チャネルの遅延プロファイルを作成することを示したものであり、図４（ｃ）は、チャネル＃０の送信オフ期間が１フレーム毎に各フレームの先頭に生じることを示したものである。なお、図４において、時間の経過とともに右方向へ進むものである。
【００４４】
図４は、遅延プロファイルを作成するチャネルの順番をフレーム毎に異ならせる場合について示したものである。遅延プロファイル生成制御部１０４は、最初のフレームにおいてチャネル＃０、チャネル＃１、チャネル＃２、チャネル＃３、チャネル＃４、チャネル＃５、チャネル＃６、チャネル＃７の順番にて遅延プロファイルを作成し、次のフレームにおいてチャネル＃６、チャネル＃７、チャネル＃０、チャネル＃１、チャネル＃２、チャネル＃３、チャネル＃４、チャネル＃５の順番にて遅延プロファイルを作成し、さらに次のフレームにおいてチャネル＃４、チャネル＃５、チャネル＃６、チャネル＃７、チャネル＃０、チャネル＃１、チャネル＃２、チャネル＃３の順番にて遅延プロファイルを作成する。
【００４５】
このようにすることにより、特定のチャネルについて送信オフ期間と遅延プロファイルを作成する期間が重なるフレームが存在する場合であっても、他のフレームにおいては送信オフ期間と遅延プロファイルを作成する期間とが重ならないので、例えば特定のチャネルについて、複数フレーム分を平均して遅延プロファイルを作成するようにすれば、各チャネルについて確実に遅延プロファイルを作成することができる。
【００４６】
このように、本実施の形態１によれば、遅延プロファイル生成制御部１０４は、コンプレストモードの送信オフ期間と遅延プロファイルを作成する期間とが重ならないように、遅延プロファイルを作成するチャネルの順番を変えるので、特定の移動機の遅延プロファイルを作成することができない状態を防ぐことができ、全ての移動機の受信タイミングを確実に検出することができる。
【００４７】
（実施の形態２）
図５は、本実施の形態２に係る同期処理装置５１０を備えた受信装置５００の構成を示す図である。受信装置５００は、図１に示す本発明の実施の形態１に係る受信装置１００において、受信ベースバンド信号切替部５０４を追加し、且つ、アンテナ１０１の代わりにアンテナ５０１−１〜５０１−ｎを有し、無線部１０２の代わりに無線部５０２−１〜５０２−ｎを有している。なお、図１と同一構成である部分には同一の符号を付してその説明は省略する。
【００４８】
同期処理装置５１０は、受信ベースバンド信号切替部５０４、送信オフ期間検出部１０３、遅延プロファイル生成制御部１０４、遅延プロファイル生成部１０５及びパスサーチ部１０６とから構成される。
【００４９】
無線部５０２−１〜５０２−ｎは、アンテナ５０１−１〜５０１−ｎにて受信した受信信号を無線周波数からベースバンド周波数へダウンコンバート等の処理をして受信ベースバンド信号切替部５０４へ出力する。
【００５０】
受信ベースバンド信号切替部５０４は、無線部５０２−１〜５０２−ｎから入力した全セクタの受信ベースバンド信号を、スイッチを切り替えることにより遅延プロファイル生成制御部１０４から１セクタ当たりの処理毎に、いずれのセクタの受信ベースバンド信号を遅延プロファイル生成部１０５へ出力するかを制御する。なお、受信ベースバンド信号切替部５０４の詳細については、後述する。
【００５１】
遅延プロファイル生成制御部１０４は、ベースバンド制御部から入力したチャネル使用状態情報と送信オフ期間検出部１０３から入力した送信オフ期間情報より、遅延プロファイルを作成する期間とコンプレストモードにおける送信オフ期間とが重なるか否かをセクタ毎に判定する。そして、遅延プロファイル生成制御部１０４は、判定した結果、遅延プロファイルを作成する期間とコンプレストモードにおける送信オフ期間とが重なる場合には、遅延プロファイルを作成する期間とコンプレストモードにおける送信オフ期間とが重ならないように、遅延プロファイルを作成するセクタの順番を変えることを遅延プロファイル生成部１０５に指示する。
【００５２】
図６は、受信ベースバンド信号切替部５０４の構成を示す図である。
【００５３】
受信ベースバンド信号切替部５０４は、無線部５０２−１〜５０２−ｎと同じ数のスイッチ６０１−１〜６０１−ｎを有しており、遅延プロファイル生成制御部１０４の指示により、いずれか１つのスイッチ６０１−１〜６０１−ｎを選択してオンとし、残りのスイッチ６０１−１〜６０１−ｎをオフとする。受信ベースバンド信号切替部５０４は、いずれか１つのスイッチ６０１−１〜６０１−ｎがオンになる毎に無線部５０２−１〜５０２−ｎから入力した受信信号を遅延プロファイル生成部１０５へ出力する。受信ベースバンド信号切替部５０４は、このような処理を全てのスイッチ６０１−１〜６０１−ｎについて行う。
【００５４】
次に、遅延プロファイル生成制御部１０４において遅延プロファイルの作成のタイミングを並び替える方法について、図７〜図１０を用いて説明する。なお、図７〜図１０においては、受信装置５００を基地局装置に適用した場合について説明する。
【００５５】
図７は、基地局装置７０１のセル＃７０２を６つのセクタＳ１〜Ｓ６に分割した状態を示したものである。図７において、移動機７０３は、セクタＳ１のエリア内にて基地局装置７０１と通信しているが、基地局装置７０１は全てのセクタＳ１〜Ｓ６について移動機７０３の遅延プロファイルを作成する。この場合において、通常、移動機７０３の遅延プロファイルのレベルは、セクタＳ１のタイミングにて作成したものが最も大きくなる。なお、通常は、複数の移動機がセクタＳ１において基地局装置７０１と通信を行うものであるが、説明の都合上移動機７０３以外の移動機の記載は省略する。
【００５６】
図８（ａ）は、基地局装置の基準フレームを示すものであり、図８（ｂ）は、時分割して各セクタの遅延プロファイルを作成することを示したものであり、図８（ｃ）は、移動機７０３が使用しているチャネル＃０の送信オフ期間が１フレーム毎に各フレームの先頭に生じることを示したものである。なお、図８において、時間の経過とともに右方向へ進むものとする。
【００５７】
また、図９は、図８の１フレーム分を詳細に記載したものであり、時間の経過とともに右方向へ進むものとする。
【００５８】
図９より、各セクタにはチャネル＃０〜＃７が割り当てられているので、遅延プロファイルの作成期間においては、セクタ毎にチャネル＃０〜＃７の遅延プロアフィルが作成される。なお、図９において、全てのセクタはセクタ１と同様にチャネルが割り当てられているので、その記載は省略する。
【００５９】
このような場合において、遅延プロファイル生成制御部１０４は、移動機７０３が基地局装置７０１と通信を行っているセクタＳ１におけるチャネル＃０の遅延プロファイル作成の期間とチャネル＃０の送信オフ期間とが重ならないように、セクタＳ２、セクタＳ３、セクタＳ１、セクタＳ４、セクタＳ５、セクタＳ６の順番にて遅延プロファイルを作成するように遅延プロファイル生成部１０５を制御する。これにより、図８に示すように、セクタ１のチャネル＃０の遅延プロファイルを作成する期間とチャネル＃０の送信オフ期間とは重なることがなくなる。
【００６０】
このように、遅延プロファイルを作成するセクタの順番を１つのフレームについて設定すれば、後は全てのフレームにて同一の順番にすれば良いので、簡単な処理を行うだけで、レベルが高いピークを検出することができる遅延プロファイルを確実に作成することができ、受信タイミングを確実に検出することができる。
【００６１】
ところで、図８に示すように、全てのフレームにおいて同一のセクタの順番にて遅延プロファイルを作成する場合には、特定のセクタにて通信中のチャネルについては送信オフ期間と遅延プロファイルを作成する期間が重ならなくなるものの、他のセクタにて通信中のチャネルについて送信オフ期間と遅延プロファイルを作成する期間とが全てのフレームにおいて重なる可能性がある。これは、特に使用中のチャネル数が多くなるほど確率が高くなる。このような事態が起こることを防ぐ方法として、図１０に示すように、フレーム毎に遅延プロファイルを作成するセクタの順番を変える方法が有効である。
【００６２】
図１０（ａ）は、基地局装置の基準フレームを示すものであり、図１０（ｂ）は、時分割して各セクタの遅延プロファイルを作成することを示したものであり、図１０（ｃ）は、チャネル＃０の送信オフ期間が１フレーム毎に各フレームの先頭に生じることを示したものである。なお、図１０において、時間の経過とともに右方向へ進むものとする。
【００６３】
図１０は、遅延プロファイルを作成するセクタの順番をフレーム毎に異ならせる場合について示したものである。遅延プロファイル生成制御部１０４は、最初のフレームにおいてセクタ１、セクタ２、セクタ３、セクタ４、セクタ５、セクタ６の順番にて遅延プロファイルを作成し、次のフレームにおいてセクタ５、セクタ６、セクタ１、セクタ２、セクタ３、セクタ４の順番にて遅延プロファイルを作成し、さらに次のフレームにおいてセクタ３、セクタ４、セクタ５、セクタ６、セクタ１、セクタ２の順番にて遅延プロファイルを作成する。
【００６４】
このようにすることにより、特定のセクタのチャネルについて送信オフ期間と遅延プロファイルを作成する期間が重なるフレームが存在する場合であっても、他のフレームにおいては送信オフ期間と遅延プロファイルを作成する期間とが重ならないので、例えば特定のチャネルについて、複数フレーム分を平均して遅延プロファイルを作成するようにすれば、各チャネルについて確実に遅延プロファイルを作成することができる。
【００６５】
このように、本実施の形態２によれば、遅延プロファイル生成制御部１０４は、コンプレストモードの送信オフ期間と遅延プロファイルを作成する期間とが重ならないように、遅延プロファイルを作成するセクタの順番を変えるので、移動機の遅延プロファイルを作成することができない状態を防ぐことができ、全ての移動機の受信タイミングを確実に検出することができる。
【００６６】
なお、本実施の形態２においては、セクタの数を６つにする場合について説明したが、これに限らず、任意の数にすることができる。また、本実施の形態２の受信装置は、上記実施の形態１の受信装置に適用することが可能である。
【００６７】
上記実施の形態１及び実施の形態２においては、チャネル＃０〜＃７を割り当てる場合について説明したが、これに限らず、チャネル数は任意の数にすることができる。また、上記実施の形態１及び実施の形態２においては、コンプレストモードにおける送信オフ期間と遅延プロファイルの作成期間とが重ならないようにしたが、これに限らず、移動機が何らかの理由により一時的に送信を停止するような場合において、送信停止期間と遅延プロファイルの作成期間とが重ならないようにすることができる。
【００６８】
【発明の効果】
以上説明したように、本発明によれば、特定の通信相手の遅延プロファイルを作成することができない状態を防ぐことにより、各通信相手の受信タイミングを確実に検出することができる。
【図面の簡単な説明】
【図１】本発明の実施の形態１に係る受信装置の構成を示すブロック図
【図２】本発明の実施の形態１に係る受信装置の動作を示すフロー図
【図３】送信オフ期間のタイミングと遅延プロファイルを作成するタイミングを示した図
【図４】送信オフ期間のタイミングと遅延プロファイルを作成するタイミングを示した図
【図５】本発明の実施の形態２に係る受信装置の構成を示すブロック図
【図６】本発明の実施の形態２に係る受信ベースバンド信号切替部の構成を示すブロック図
【図７】セクタＳ１において基地局装置と通信を行う移動機を示す模式図
【図８】送信オフ期間のタイミングと遅延プロファイルを作成するタイミングを示した図
【図９】１フレームの各セクタにおけるチャネルの割り当てを示した図
【図１０】送信オフ期間のタイミングと遅延プロファイルを作成するタイミングを示した図
【図１１】送信オフ期間のタイミングと遅延プロファイルを作成するタイミングを示した図
【符号の説明】
１０２  無線部
１０３  送信オフ期間検出部
１０４  遅延プロファイル生成制御部
１０５  遅延プロファイル生成部
１０６  パスサーチ部
【図１】
2004328512.tif 000003
【図２】
2004328512.tif 000004
【図３】
2004328512.tif 000005
【図４】
2004328512.tif 000006
【図５】
2004328512.tif 000007
【図６】
2004328512.tif 000008
【図７】
2004328512.tif 000009
【図８】
2004328512.tif 000010
【図９】
2004328512.tif 000011
【図１０】
2004328512.tif 000012
【図１１】
2004328512.tif 000013